(57)【要約】【課題】検索結果から、所望のものを容易に絞り込むことができる検索装置等を提供する。【解決手段】検索結果の位置情報に対応した地図を取得し、その地図上に、検索結果を表すオブジェクトを各検索結果の位置情報に対応づけて配置し、その配置した地図を出力する。このため、従来のように各検索結果に対応する場所を地図上で確認するためにユーザが一検索結果毎に地図表示キーをタッチするようなことをしなくとも、ユーザは複数の検索結果の位置を一度に確認することができる。したがって、ユーザの使い勝手が良い。また、各検索結果の位置関係も容易に確認することができる。【選択図】図３
2007233863.tif 000002
【特許請求の範囲】
【請求項１】
ユーザからの指示を受け付ける受付手段と、
前記受付手段が受け付けた検索条件から検索結果と当該検索結果に関連づけられた位置情報とを取得する検索手段と、
指定された地域の地図を取得する地図取得手段と、
前記検索手段により得られた検索結果が複数ある場合、それらの検索結果の前記位置情報に対応した地図を前記地図取得手段を介して取得し、その地図上に、前記対象を表すオブジェクトを前記各検索結果の前記位置情報に対応づけて配置し、その配置した地図を出力する地図出力手段と、
を備えることを特徴とする検索装置。
【請求項２】
請求項１に記載の検索装置において、
前記地図出力手段は、前記検索手段により得られた前記検索結果のうちの一部を所定の条件に基づいて選択し、前記取得及び前記配置を行うこと、
を特徴とする検索装置。
【請求項３】
請求項２に記載の検索装置において、
さらに、現在位置情報を取得する現在位置情報取得手段を備え、
前記地図出力手段は、前記現在位置情報取得手段により取得された前記現在位置情報に基づいて前記選択を行うこと、
を特徴とする検索装置。
【請求項４】
請求項１〜請求項３の何れかに記載の検索装置において
前記地図出力手段は、行政区画毎の前記検索結果の数を表すオブジェクトを、前記地図上にさらに配置すること、
を特徴とする検索装置。
【請求項５】
請求項４に記載の検索装置において、
前記地図出力手段は、前記数を表すオブジェクトが前記受付手段を介してユーザより選択されると、選択されたオブジェクトに対応した行政区画の地図であって、先に取得した地図よりも縮尺の小さい地図を前記地図取得手段を介して取得し、その取得した地図上に、前記検索結果を表すオブジェクトのうち当該行政区画に対応するものを配置して出力すること、
を特徴とする検索装置。
【請求項６】
コンピュータを、請求項１〜請求項５の何れかに記載の検索装置における前記地図出力手段として機能させるためのプログラム。
【発明の詳細な説明】
【技術分野】
【０００１】
本発明は、指定された条件に基づいて検索を行い、その結果を出力する検索装置及び検索プログラムに関する。
【背景技術】
【０００２】
近年、ナビゲーション装置において、ユーザが目的物を設定する際に、目的物のおおよその名称やおおよその住所はわかっているものの正確には入力できないような場合にも目的物を設定することを可能とした技術が知られている。
【０００３】
例えば、以下の特許文献１に記載の技術は、あいまいな名称をもとに検索された結果をリスト表示し、そのリストから個別にデータを選択して地図表示を行うことにより、所望の目的物を探す技術である。具体的には、入力された目的物の名称および当該名称を含んで構成された全ての名称を外部記憶装置のデータテーブルから検索する。そして、外部記憶装置のデータテーブルから検索した目的物の名称を表示装置に一覧表示させるのだが、同一名称の目的物が１つしかない場合にはその名称と共に地図表示キーを表示させ、同一名称の目的物が複数存在している場合にはその名称と共に住所表示キー（件数）を表示させる。そして、ユーザによって地図表示キーがタッチされた場合には、当該目的物付近の地図を表示させ、住所表示キーがタッチされた場合には、各目的物の住所を一覧表示させると共に地図表示キーを目的物毎に表示させる（特許文献１の図２参照）。
【特許文献１】特開平１１−８５７７８号公報
【発明の開示】
【発明が解決しようとする課題】
【０００４】
しかしながら、上記技術では、目的物の候補が複数見つかった場合に各目的物の候補の場所を地図上で確認するためには、ユーザが一候補ずつ地図表示キーをタッチしなければならず、大変な手間である。また、全候補の位置関係も確認しづらいため、ユーザの認識している目的物に対する情報が不足している場合や曖昧な場合には、目的物の設定が難しい場合もある。
【０００５】
本発明は、このような問題にかんがみなされたものであり、検索された結果から、所望のものを容易に絞り込むことができる検索装置及び検索プログラムを提供することを目的とする。
【課題を解決するための手段】
【０００６】
上記課題を解決するためになされた請求項１に記載の検索装置は、ユーザからの指示を受け付ける受付手段と、受付手段が受け付けた検索条件から検索結果と当該検索結果に関連づけられた位置情報とを取得する検索手段と、指定された地域の地図を取得する地図取得手段と、地図出力手段とを備える。地図出力手段は、検索手段により得られた検索結果が複数ある場合、それらの検索結果の位置情報に対応した地図を地図取得手段を介して取得し、その地図上に、検索結果を表すオブジェクトを各検索結果の位置情報に対応づけて配置し、その配置した地図を出力する手段である。なお、「オブジェクト」というのは、文字や図形を意味し、ユーザに対して検索結果についての情報を提示可能なものである。
【０００７】
このような検索装置によれば、従来のように各検索結果に関連づけられた場所を地図上で確認するためにユーザが一検索結果毎に地図表示キーをタッチするようなことをしなくとも、ユーザは複数の検索結果の位置を一度に確認することができる。したがって、ユーザの使い勝手が良い。また、各検索結果の位置関係も容易に確認することができる。
【０００８】
ところで、地図出力手段は、検索手段によって得られた検索結果の全部を表示可能な地図を取得して出力するようになっていてもよいが、請求項２に記載のように、検索手段により得られた検索結果のうちの一部を所定の条件に基づいて選択し、上述した取得及び上述した配置を行うようになっていてもよい。ここで言う「所定の条件」というのは、ユーザの閲覧性を高めることを目的にした条件であり、設計時や操作時に任意に定めることができる条件である。具体的には、例えば、「検索結果のうち評価の高いものを順に○○個」という条件であってもよいし「検索結果の最も多い行政区画のみ」という条件等が考えられる。
【０００９】
このようになっていれば、検索結果が多過ぎることによるユーザの閲覧性の悪化を防止できる。
また、現在位置情報を取得する現在位置情報取得手段を検索装置が備えているならば、地図出力手段は、現在位置情報取得手段により取得された現在位置情報に基づいて上述した選択するようになっているとよい（請求項３）。
【００１０】
一般的に、ユーザの希望する検索結果についての場所は、現在位置付近である確率が高い。このため、現在位置付近の検索結果が選択されるようになっていれば、ユーザの利便性を向上させることができる。
【００１１】
ところで、検索結果が多く、地図上に配置されるオブジェクトの数が多いと、ユーザはどの行政区画にどれくらいの検索結果があるのかが一瞥してわかりづらい。そこで、請求項４に記載のように、地図出力手段は、行政区画毎の検索結果の数を表すオブジェクトを、地図上にさらに配置するようになっているとよい。
【００１２】
このようになっていれば、ユーザは一瞥するだけで、どの行政区画にどれくらいの検索結果があるのかを把握することができる。
また、そのようになっている場合は、数を表すオブジェクトがユーザによって選択されると、その行政区画について詳細な表示を行うようになっているとよい。つまり、請求項５に記載のように、地図出力手段は、数を表すオブジェクトが受付手段を介してユーザより選択されると、その選択されたオブジェクトに対応した行政区画の地図であって、先に取得した地図よりも縮尺の小さい地図を地図取得手段を介して取得し、その取得した地図上に、検索結果を表すオブジェクトのうち当該行政区画に対応するものを配置して出力するようになっているとよい。
【００１３】
このようになっていれば、ユーザは、出力された検索結果の数をもとに行政区画を絞り込んで当該行政区画についての同様の地図を出力させることができる。したがって、ユーザは、自身の意志によって検索結果の位置関係をより詳しく知ることができ、所望の検索結果を容易に選択することが可能になる。
【００１４】
なお、上述した地図出力手段としての機能をプログラムによって実現してもよい。このようなプログラムを、検索装置が内蔵するコンピュータに実行させれば、上述した検索装置と同様の作用及び効果を奏することが可能になる。また、プログラムはネットワーク等を用いて流通させることも可能である上、検索装置におけるプログラムの入れ替えは、部品の入れ替えに比較して容易である。したがって、検索装置の機能向上を容易に行うことができる。
【発明を実施するための最良の形態】
【００１５】
以下、本発明が適用された実施形態について図面を用いて説明する。尚、本発明の実施の形態は、下記の実施形態に何ら限定されることはなく、本発明の技術的範囲に属する限り種々の形態を採りうる。
【００１６】
［構成の説明］
図１は、本発明の検索装置の機能が組み込まれたナビゲーション装置２０の概略構成を示すブロック図である。
【００１７】
ナビゲーション装置２０は車両に搭載され、車両の現在位置を検出する位置検出器２１と、利用者からの各種指示を入力するための操作スイッチ群２２と、操作スイッチ群２２と同様に各種指示を入力可能であってナビゲーション装置２０とは別体となったリモートコントロール端末（以下、リモコンと称す）２３ａと、リモコン２３ａからの信号を入力するリモコンセンサ２３ｂと、パケット通信網等に接続して外部と通信を行う外部通信機２４と、地図データや音声データ等が記録された地図記憶媒体からデータを入力する地図データ入力器２５と、地図や各種情報の表示を行うための表示部２６と、各種のガイド音声等を出力するための音声出力部２７と、利用者が発話した音声に基づく電気信号を出力するマイクロフォン２８と、車内ＬＡＮに接続された各種ＥＣＵ等と通信を行う車内ＬＡＮ通信部３３と、上述した位置検出器２１，操作スイッチ群２２，リモコンセンサ２３ｂ，外部通信機２４，地図データ入力器２５，マイクロフォン２８,車内ＬＡＮ通信部３３からの入力に応じて各種処理を実行し、外部通信機２４，表示部２６，音声出力部２７，車内ＬＡＮ通信部３３を制御する制御部２９とを備えている。
【００１８】
位置検出器２１は、ＧＰＳ（Global Positioning System）用の人工衛星からの電波を図示しないＧＰＳアンテナを介して受信してその受信信号を出力するＧＰＳ受信機２１ａと、車両に加えられる回転運動の大きさを検出するジャイロスコープ２１ｂと、車両の前後方向の加速度等から走行した距離を検出するための距離センサ２１ｃとを備えている。そして、これら各センサ等２１ａ〜２１ｃからの出力信号に基づいて制御部２９が、車両の位置，方位，速度等を算出する。なお、ＧＰＳ受信機２１ａからの出力信号に基づいて現在位置を求める方式は様々な方式があるが、単独測位方式、相対測位方式の何れであってもよい。
【００１９】
操作スイッチ群２２は、表示部２６の表示面と一体に構成されたタッチパネル及び表示部２６の周囲に設けられたメカニカルなキースイッチとから構成される。尚、タッチパネルと表示部２６とは積層一体化されており、タッチパネルには、感圧方式，電磁誘導方式，静電容量方式，あるいはこれらを組み合わせた方式など各種の方式があるが、その何れを用いてもよい。
【００２０】
リモコン２３ａは、複数のボタンから構成されており、何れかのボタンが押下されるとそのボタンの種類に応じた信号が赤外線等の近距離無線通信を介してリモコンセンサ２３ｂに届くように構成されている。
【００２１】
リモコンセンサ２３ｂは、リモコン２３ａから送られる信号を受信し、受信した信号を制御部２９へ出力するようになっている。
外部通信機２４は、路側に設置された光ビーコンや電波ビーコン等を介してＶＩＣＳの情報センタから事故情報や渋滞情報等を取得する。
【００２２】
地図データ入力器２５は、図示しない地図データ記憶媒体（例えばハードディスクやＤＶＤ−ＲＯＭ等）に記憶された各種データを入力するための装置である。地図データ記憶媒体には、地図データ（ノードデータ、リンクデータ、コストデータ、背景データ、道路データ、名称データ、マークデータ、交差点データ、施設のデータ、都道府県データ等）、案内用の音声データ、音声認識データ等が記憶されている。なお、地図データ記憶媒体からこれらのデータを入力する代わりに、通信ネットワークを介してこれらのデータを入力するようになっていてもよい。
【００２３】
表示部２６は、液晶ディスプレイや有機ＥＬディスプレイ等からなり、表示部２６の表示画面には、位置検出器２１にて検出した車両の現在位置と地図データ入力器２５より入力された地図データとから特定した現在地を示すマーク、目的地までの誘導経路、名称、目印、各種施設のマーク等の付加データとを重ねて表示することができる。また、施設のガイド等も表示できる。
【００２４】
音声出力部２７は、地図データ入力器２５より入力した施設のガイドや各種案内の音声を出力することができる。
マイクロフォン２８は、利用者が音声を入力（発話）するとその入力した音声に基づく電気信号（音声信号）を制御部２９に出力するものである。利用者はこのマイクロフォン２８に様々な音声を入力することにより、ナビゲーション装置２０を操作することができる。
【００２５】
車内ＬＡＮ通信部３３は、車内ＬＡＮに接続された各種のＥＣＵ（エンジンＥＣＵ、ＡＴ−ＥＣＵ、ブレーキＥＣＵ等）や各種のセンサ（方向指示器センサ、ドア開閉センサ等）との通信を担う。
【００２６】
制御部２９は、ＣＰＵ，ＲＯＭ，ＲＡＭ，ＳＲＡＭ，Ｉ／Ｏ及びこれらの構成を接続するバスラインなどからなる周知のマイクロコンピュータを中心に構成されており、ＲＯＭ及びＲＡＭに記憶されたプログラムに基づいて各種処理を実行する。例えば、位置検出器２１からの各検出信号に基づき座標及び進行方向の組として車両の現在位置を算出し、地図データ入力器２５を介して読み込んだ現在位置付近の地図等を表示部２６に表示する現在地表示処理や、地図データ入力器２５に格納された地図データと、操作スイッチ群２２やリモコン２３ａ等の操作に従って設定された目的地とに基づいて現在位置から目的地までの最適な経路を算出する経路算出処理や、その算出した経路を表示部２６に表示させたり音声出力部２７に音声として出力させることにより経路を案内する経路案内処理等を実行する。
【００２７】
［動作の説明］
次に、制御部２９が実行する目的地設定処理について図３のフローチャートを用いて説明する。なお、目的地設定処理は、ユーザによって操作スイッチ群２２やリモコン２３ａ等が操作されて、目的地設定処理の実行を開始する旨の指令が入力された際に実行が開始される。また、目的地設定処理によって設定された目的地は、経路算出処理において用いられる。また、目的地設定処理以外の他の処理（例えば、現在位置表示処理や経路算出処理等）については広く知られた処理であるため、説明を省略する。
【００２８】
制御部２９は、目的地設定処理の実行を開始すると、まず目的地とする施設の名称を受け付ける（Ｓ１０５）。これは、表示部２６に５０音表やキーボード表を表示させ、ユーザがそれを参考にして操作スイッチ群２２又はリモコン２３ａを介して入力した仮名を、目的地とする施設の名称の読み仮名として受け付けることである。なお、受け付ける名称は施設の名称の一部だけであってもよい。
【００２９】
続いて、制御部２９は、地図データ入力器２５を介して地図データ記憶媒体を、Ｓ１０５で受け付けた名称に基づいて検索する（Ｓ１１０）。具体的には、Ｓ１０５で受け受けた読み仮名を少なくとも一部に含む施設の名称（以下、「候補名称」とも言う）と、その住所と、位置データ（例えば緯度・経度）と、を取得することである。
【００３０】
続いて、制御部２９は、Ｓ１１０で検索して見つかった候補名称と住所とを表示部２６にリスト表示させる（Ｓ１１５）。なお、このリスト画面は、各メンバ（候補名称及び住所）単位で選択可能になっていると共に、画面内には地図表示を行わせるための操作ボタンが表示されている。
【００３１】
続いて、制御部２９は、地図表示ボタンがユーザによって押下されたか否かを判定する（Ｓ１２０）。これは、操作スイッチ群２２又リモコン２３ａに対して入力される操作指令を判断することによって行う。地図表示ボタンが押下されたと判定した場合は（Ｓ１２０：Ｙｅｓ）、Ｓ１３５へ処理を移行し、地図表示ボタンが押下されなかったと判定した場合は（Ｓ１２０：Ｎｏ）、Ｓ１２５へ処理を移行する。
【００３２】
地図表示ボタンが押下されなかったと判定した場合に進むＳ１２５では、制御部２９は何れかのメンバが選択されたか否かを判定する（Ｓ１２５）。これも、操作スイッチ群２２又リモコン２３ａに対して入力される操作指令を判断することによって行う。何れかのメンバが選択されたと判定した場合は（Ｓ１２５：Ｙｅｓ）、Ｓ１３０へ処理を移行し、何れかのメンバが選択されなかったと判定した場合は（Ｓ１２５：Ｎｏ）、Ｓ１２０へ処理を戻す。
【００３３】
何れかのメンバが選択されたと判定した場合に進むＳ１３０では、制御部２９はユーザによって選択されたメンバを目的地に設定する（Ｓ１３０）。具体的には、選択されたメンバに対応するする施設の位置データを目的地の位置データとして設定する。そして、本処理（目的地設定処理）を終了する。
【００３４】
また、地図表示ボタンが押下されたと判定した場合に進むＳ１３５では、制御部２９は検索結果（表示部２６に表示させていたリスト内のメンバ）を所定条件によって絞り込む（Ｓ１３５）。ここで言う「所定の条件」というのは、ユーザの閲覧性を高めることを目的とした条件であり、例えば、「現在位置の都道府県内」という条件であってもよいし、「検索結果のうち評価の高いものを順に２０個」という条件であってもよいし「検索結果の最も多い行政区画の上位３つに含まれるもののみ」という条件であってもよい。なお、「現在位置の都道府県内」という条件によって絞り込むのであれば、現在位置の都道府県の特定は、位置検出器２１から得られる信号に基づいて求めた車両の現在位置と、地図データ入力器２５を介して地図データ記憶媒体から取得した都道府県に関する情報とによって行う。また、「所定の条件」はユーザが指定できるようになっていてもよい。また、検索結果の数が少ない場合には、絞り込み自体を行わなくてもよい。
【００３５】
次に、制御部２９は、絞り込んだ検索結果の各位置を表示可能な地図を、地図データ入力器２５を介して地図データ記憶媒体から取得する（Ｓ１４０）。そして、Ｓ１３５で絞り込んだ検索結果に相当するオブジェクト（後述する図３（ｃ）で言うところの柱状オブジェクト３２１〜３２５）を、Ｓ１４０で取得した地図上の対応する位置に重畳表示させ、表示部２６に表示させる（Ｓ１４５）。なお、検索結果に相当するオブジェクトが特定の行政区画内（例えば、県や市や町内等）に複数存在する場合には、重畳表示させるオブジェクトを減らし、当該行政区画内に存在する検索結果の件数を示すオブジェクト（後述する図３（ｃ）で言うところのメッセージオブジェクト３２６，３２７）を重畳表示させる。
【００３６】
続いて、制御部２９は、上述した件数を示すオブジェクトがユーザによって選択されたか否かを判定する（Ｓ１５０）。これも、操作スイッチ群２２又リモコン２３ａに対して入力される操作指令を判断することによって行う。件数を示すオブジェクトが選択されたと判定した場合は（Ｓ１５０：Ｙｅｓ）、Ｓ１５５へ処理を移行し、件数を示すオブジェクトが選択されなかったと判定した場合は（Ｓ１５０：Ｎｏ）、Ｓ１６０へ処理を移行する。
【００３７】
件数を示すオブジェクトが選択されたと判定した場合に進むＳ１５５では、次に表示させる対象を、選択されたオブジェクトに対応する行政区画内の検索結果のみに絞り込む（Ｓ１５５）。そして、Ｓ１４０へ処理を戻す。
【００３８】
一方、件数を示すオブジェクトが選択されなかったと判定した場合に進むＳ１６０では検索結果に相当するオブジェクトが選択されたか否かを判定する（Ｓ１６０）。これも、操作スイッチ群２２又リモコン２３ａに対して入力される操作指令を判断することによって行う。検索結果に相当するオブジェクトが選択されたと判定した場合は（Ｓ１６０：Ｙｅｓ）、Ｓ１６５へ処理を移行し、検索結果に相当するオブジェクトが選択されなかったと判定した場合は（Ｓ１６０：Ｎｏ）、Ｓ１５０へ処理を戻す。
【００３９】
検索結果に相当するオブジェクトが選択されたと判定した場合に進むＳ１６５では、当該選択されたオブジェクトに対応する施設を経路算出処理に用いる目的地として設定する（Ｓ１６５）。具体的には、選択されたオブジェクトに対応するする施設の位置データを目的地の位置データとして設定する。そして、本処理（目的地設定処理）を終了する。
【００４０】
次に、目的地設定処理が実行されることによって表示部２６に表示される画面の一例について説明する。
図３（ａ）に示す画面は、目的地とする施設の名称を受け付ける際に表示部２６に表示される画面である（図２のＳ１０５に対応）。本画面には、仮名文字入力をタッチ方式によって受け付ける仮名入力キーボード３０１と、入力された仮名文字を表示する入力結果欄３０３とが描かれている。この画面では、ユーザは、施設名称の仮名文字を画面で確認しながら直接入力することができる。
【００４１】
図３（ｂ）に示す画面は、検索結果を示す画面である（図２のＳ１１５に対応）。本画面には、検索により見つかった施設の名称と住所とを組（メンバ）にしたリスト３１１と、地図表示を行う指示をユーザが行うための地図表示ボタン３１３とが描かれている。この画面により、ユーザは、リスト３１１の何れかのメンバを選択することにより、その選択した名称の場所を目的地として設定することができる。また、地図表示ボタン３１３を選択することにより、後述する図３（ｃ）の画面を表示させることができる。
【００４２】
図３（ｃ）に示す画面は、検索結果の施設を地図上の対応する位置に重畳表示させた画面である（図２のＳ１４５に対応）。本画面には、各検索結果の施設に対応する柱状オブジェクト３２１〜３２５と、県毎に検索結果の数を集計したメッセージオブジェクト３２６，３２７とが地図上に重畳表示されている。この画面では、ユーザは、愛知県についての検索結果の数を示すメッセージオブジェクト３２６又は岐阜県についての検索結果の数を示すメッセージオブジェクト３２７を選択することができる。何れかを選択することにより、後述する図４の画面のような、各県のさらに詳細な地図を表示させることができる。
【００４３】
図４に示す画面は、図３（ｃ）に示した画面において、愛知県についての検索結果の数を示すメッセージオブジェクト３２７が選択された際に表示される画面である。本画面には、国営木曽三川公園を示す柱状オブジェクト４０１と、国営木曽三川公園を示すメッセージオブジェクト４０３と、国営木曽三川公園ツインアーチ１３８を示す柱状オブジェクト４０５と、国営木曽三川公園ツインアーチ１３８を示すメッセージオブジェクト４０７と、が地図上に重畳表示されている。この画面において、ユーザによって、国営木曽三川公園を示す柱状オブジェクト４０１又は、国営木曽三川公園を示すメッセージオブジェクト４０３が選択されれば、国営木曽三川公園が目的地として設定される。また、ユーザによって、国営木曽三川公園ツインアーチ１３８を示す柱状オブジェクト４０５又は、国営木曽三川公園ツインアーチ１３８を示すメッセージオブジェクト４０７が選択されれば、国営木曽三川公園ツインアーチ１３８が目的地として設定される。
【００４４】
［実施形態の効果］
上記実施形態のナビゲーション装置２０は、検索結果の位置情報に対応した地図を取得し（図２のＳ１４０）、その地図上に、検索結果を表すオブジェクトを各検索結果の位置情報に対応づけて配置し、その配置した地図を出力するようになっている（図２のＳ１４５）。このため、従来のように各検索結果の場所を地図上で確認するためにユーザが一検索結果毎に地図表示キーをタッチするようなことをしなくとも、ユーザは複数の検索結果の位置を一度に確認することができる。したがって、ユーザの使い勝手が良い。また、各検索結果の位置関係も容易に確認することができる。
【００４５】
また、得られた検索結果のうちの一部を所定の条件に基づいて選択するようになっている（図２のＳ１３５）。このため、検索結果が多過ぎることによるユーザの閲覧性の悪化を防止できる。
【００４６】
また、検索結果が特定の行政区画内（例えば、県や市や町内等）に複数存在する場合には、行政区画毎の検索結果の数を表すオブジェクトを、地図上に配置するようになっている（図３（ｃ））。このため、ユーザは一瞥するだけで、どの行政区画にどれくらいの数の検索結果があるのかを把握することができる。
【００４７】
また、数を表すオブジェクトがユーザによって選択されると、その行政区画について詳細な表示を行うようになっている（図２のＳ１５０：Ｙｅｓ）。このため、ユーザは、出力された検索結果の数をもとに行政区画を絞り込んで当該行政区画についての同様の地図を出力させることができる。したがって、ユーザは、自身の意志によって検索結果の位置関係をより詳しく知ることができ、所望の検索結果を容易に選択することが可能になる。
【００４８】
［他の実施形態］
上記実施形態の目的地設定処理は、目的地として施設名称を入力する場合のものであったが、目的地として住所の一部を指定する場合についても上記実施形態と同様に処理するとよい。つまり、入力された文言の一部を有する住所（完全な形式の住所）を検索し、それをリスト表示させると共に、その位置を上記実施形態と同様にオブジェクトによって地図上に重畳表示させるようになっているとよい。このようになっていれば、目的地として住所の一部を入力する場合についても上記実施形態と同様の効果が得られる。
【００４９】
［特許請求の範囲との対応］
上述した実施形態で用いた用語と特許請求の範囲で用いた用語との対応を示す。操作スイッチ群２２及びリモコン２３ａが受付手段に相当し、目的地設定処理におけるＳ１１０の処理が検索手段としての機能に相当する。また、地図データ入力器２５が地図取得手段としての機能に相当する。また、目的地設定処理におけるＳ１３５〜Ｓ１６０の処理が検索手段としての機能に相当する。
【図面の簡単な説明】
【００５０】
【図１】ナビゲーション装置の概略構成を示すブロック図である。
【図２】目的地設定処理を説明するためのフローチャートである。
【図３】目的地設定処理が実行されることによって表示部に表示される画面例である。
【図４】目的地設定処理が実行されることによって表示部に表示される画面例である。
【符号の説明】
【００５１】
２０…ナビゲーション装置、２１…位置検出器、２１ａ…ＧＰＳ受信機、２１ｂ…ジャイロスコープ、２１ｃ…距離センサ、２２…操作スイッチ群、２３ａ…リモコン、２３ｂ…リモコンセンサ、２４…外部通信機、２５…地図データ入力器、２６…表示部、２７…音声出力部、２８…マイクロフォン、２９…制御部、３３…車内ＬＡＮ通信部。
【図１】
2007233863.tif 000003
【図２】
2007233863.tif 000004
【図３】
2007233863.tif 000005
【図４】
2007233863.tif 000006